(57)【要約】【課題】複数枚のレンズを有するレンズ鏡筒の組立に際して準備する間隔環の数を半減させる。【解決手段】レンズ鏡筒１０は、レンズ枠１１にレンズ１２、間隔環１３、レンズ１４の順で装填した後にレンズ押さえ１５によってレンズ枠１１内に固定する。レンズ１２，１４及び間隔環１３は、同一の光軸上に保持され、間隔環１３は光軸１６を中心とする円環状に形成され、レンズ枠１１に組込まれたときに、前端側の内周エッジ１３ｄと後端側の内周エッジ１３ｆとが、それぞれレンズ１２，１４のレンズ面１２ｂ，１４ｂに当接されてレンズ１２とレンズ１４の間隔が所定の間隔となる。間隔環１３の装填方向を逆にすることによって、内周エッジ１３ｄと内周エッジ１３ｆのレンズ面１２ｂ，１４ｂに当接する位置が移動し、レンズ１２とレンズ１４の間隔を変化させることができる。【選択図】図２
2010122557.tif 000002
【特許請求の範囲】
【請求項１】
光軸を中心とする円環状に形成され、前端側の外周エッジと内周エッジのいずれかと、後端側の外周エッジと内周エッジのいずれかを、それぞれ前後に配置されたレンズに当接させてレンズ間隔を調節する間隔環において、
前端側及び後端側のそれぞれの外周エッジの相互間、または前端側及び後端側のそれぞれの内周エッジの相互間の少なくともいずれかに寸法差をもたせたことを特徴とする間隔環。
【請求項２】
前端側の外周エッジと内周エッジのそれぞれの直径が、後端側の外周エッジと内周エッジのそれぞれの直径と異なっていることを特徴とする請求項１記載の間隔環。
【請求項３】
前端側または後端側の少なくともいずれかにおいて、外周エッジと内周エッジの光軸方向の位置が異なることを特徴とする請求項１または２記載の間隔環。
【発明の詳細な説明】
【技術分野】
【０００１】
本発明は、レンズ鏡筒に組み込まれて２枚のレンズの間隔を調整する間隔環に関するものである。
【背景技術】
【０００２】
光学機器に用いられるレンズ鏡筒には複数のレンズが組み込まれたものがある。このようなレンズ鏡筒において、複数枚のレンズをレンズ鏡筒内に所定の間隔で組み込み固定して保持する方法として、例えば図６に示すように、レンズ枠５１にレンズ５２，間隔環５３及びレンズ５４を装填し、２枚のレンズ５２，５４の間に間隔環５３を挾み込んで前記２枚のレンズ５２，５４の間隔が所定の間隔となるようにレンズ枠５１内に組込んだレンズ鏡筒５０が知られている。また、下記特許文献１には、レンズ枠に形成した最大内径部よりも小さい内径寸法を有する内周面の略３分割された部分に３個の鋼球を配設して、間隔環に相当する部品として用いる方法が記載されている。
【特許文献１】特開平０９−３１８８５８号公報
【発明の開示】
【発明が解決しようとする課題】
【０００３】
光学レンズの間隔は数μｍの精度が必要であるため間隔環も同様の精度で加工される。しかしながら、光学レンズには当然に製造バラツキがあり、光学レンズを鏡筒に組み込んだ際にレンズ間隔を調整しなければならない。そのため、間隔環を複数枚準備して置き、間隔環を取り替えながら測定を繰り返し、ベストな状態にして固定する。鏡筒に組み込むレンズ１組１組にそれぞれ数枚の間隔環を準備しなければならず、準備する間隔環の数は相当な数となるばかりか、使用されないものは無駄になってしまう。
【０００４】
本発明は上記問題を解決するために、複数枚のレンズを有するレンズ鏡筒の組立に際して準備する間隔環の数を半減させて、無駄を少なくするとともに部品管理も省力化でき、トータルコストの削減を可能とする方法を提案するものである。
【課題を解決するための手段】
【０００５】
本発明による間隔環は、光軸を中心とする円環状に形成され、前端側の外周エッジと内周エッジのいずれかと、後端側の外周エッジと内周エッジのいずれかを、それぞれ前後に配置されたレンズに当接させてレンズ間隔を調節する間隔環において、前端側及び後端側のそれぞれの外周エッジの相互間、または前端側及び後端側のそれぞれの内周エッジの相互間の少なくともいずれかに差をもたせたことを特徴とする。
【０００６】
前記間隔環は、前端側の外周エッジと内周エッジのそれぞれの直径が、後端側の外周エッジと内周エッジのそれぞれの直径と異なるようにすると良い。前端側または後端側の少なくともいずれかにおいて、外周エッジと内周エッジの光軸方向の位置が異なるようにすると良い。
【発明の効果】
【０００７】
本発明の間隔環を用いることで、レンズ鏡筒の組立時に準備する間隔環を半減することができ、無駄も半減し部品管理も半減するのでトータルコストを削減することができる。
【発明を実施するための最良の形態】
【０００８】
図１及び図２に示すように、レンズ鏡筒１０は、レンズ枠１１にレンズ１２、間隔環１３、レンズ１４の順で装填した後にレンズ押さえ１５をレンズ枠１１のネジ部１１ｃに螺合させて、前記２枚のレンズ１２，１４及び間隔環１３をレンズ枠１１内に固定する。ここで図２の光軸１６を中心にした左右の図は、前記間隔環１３の向きを前後逆に装填すると前記２つのレンズ間隔が異なることを明瞭に示すために、前記間隔環１３の向きを前後逆にして装填したときの図を、左右に並べて図示したものである。前記２枚のレンズ１２，１４と間隔環１３は、それぞれに光軸１６と平行で光軸１６を中心とする同心円のコバ面（外周面）１２ａ，１４ａ及び外筒面１３ａを有し、レンズ枠１１に形成された光軸１６と平行で光軸を中心とする同心円の内壁１１ａ，１１ｂによって位置決めされ、同一の光軸１６上に保持される。前記間隔環１３は、前記光軸１６を中心とする円環状に形成され、前端側の外周エッジ１３ｃと後端側の外周エッジ１３ｅの直径は同じだが、前端側の内周エッジ１３ｄが後端側の内周エッジ１３ｆより大きく形成されおり、前端側の内周エッジ１３ｄ及び後端側の内周エッジ１３ｆがレンズ１２のレンズ面１２ｂ及びレンズ１４のレンズ面１４ｂのどちらかとそれぞれ当接する。
【０００９】
次に、上記実施形態の作用について説明する。図２の光軸１６より左側に示すように、前記内周エッジ１３ｆが前記レンズ面１２ｂと当接し前記内周エッジ１３ｄが前記レンズ面１４ｂと当接するように前記間隔環１３が装填されレンズ押さえ１５によって固定された前記レンズ鏡筒１０の光学性能を測定したときに、前記２枚のレンズ間隔が少し狭いことが判明した場合は、右側に示すように、前記間隔環１３を前後逆にして装填すると、レンズ１２とレンズ１４の間隔が広がる。前記間隔環１３を前後逆にして装填すると、前記内周エッジ１３ｄが前記レンズ面１２ｂと当接し、前記内周エッジ１３ｆが前記レンズ面１４ｂと当接するようにして、前記レンズ押さえ１５によって固定する。このとき、前記レンズ面１２ｂに当接する前記間隔環１３の内周エッジの直径が大きくなるが、前記レンズ面１２ｂは凸面であるから間隔環１３はレンズ１２側に移動する。同時に、凸面である前記レンズ面１４ｂと当接する内周エッジの直径は小さくなるので、当接する前記レンズ面１４ｂはレンズ押さえ１５側に移動する。ここで、前記レンズ面１４ｂの曲率半径は前記レンズ面１２ｂの曲率半径より小さいので、レンズ１４の移動量は間隔環１３の移動量より大きく、その結果レンズ１２とレンズ１４の間隔が広がることになる。このように、前記間隔環１３は、１個で２通りのレンズ間隔を設定することができる。
【００１０】
次に別の実施形態について説明する。図３の左側に示すように、凹のレンズ面２２ｂを有するレンズ２２と、凹のレンズ面２４ｂを有するレンズ２４との間に間隔環２３が装填されている。間隔環２３は、内周は前端側から後端側までの直径は同じだが、前端側の外周エッジ２３ｃが後端側の外周エッジ２３ｅより小さく形成される。光軸１６より左側に示すように、前記外周エッジ２３ｅが前記レンズ面２２ｂと当接し前記外周エッジ２３ｃが前記レンズ面２４ｂと当接するように前記レンズ２２、間隔環２３及びレンズ２４が装填される。この状態での測定で、前記２枚のレンズ間隔が少し狭い場合は、図３の右側に示すように、前記間隔環２３を前後逆にして装填すると、前記外周エッジ２３ｃが前記レンズ面２２ｂと当接し、前記外周エッジ２３ｅが前記レンズ面２４ｂと当接するように組み直す。このとき、前記レンズ面２２ｂに当接する前記間隔環２３の外周エッジの直径は小さくなり且つ前記レンズ面１２ｂが凹面であることから間隔環２３はレンズ２２側に移動する。同時に、凹面である前記レンズ面２４ｂと当接する外周エッジの直径は大きくなるので、当接する前記レンズ面２４ｂはレンズ押さえ１５側に移動する。ここで、前記レンズ面２４ｂの曲率半径は前記レンズ面２２ｂの曲率半径より小さいので、レンズ２４の移動量は間隔環２３の移動量より大きく、その結果レンズ２２とレンズ２４の間隔が広がる。
【００１１】
次に第３の実施形態について説明する。図４に示すように、凹のレンズ面３２ｂを有するレンズ３２と、凸のレンズ面３４ｂを有するレンズ３４との間に間隔環３３が装填されている。間隔環３３は、前端側の外周エッジ３３ｃが後端側の外周エッジ３３ｅより大きく形成されるとともに、前端側の内周エッジ３３ｄが後端側の内周エッジ３３ｆより大きく形成されている。光軸１６より左側に示すように、前記外周エッジ３３ｅが前記レンズ面３２ｂと当接し前記内周エッジ３３ｄが前記レンズ面３４ｂと当接するように前記間隔環３３が装填された状態で前記２枚のレンズ間隔が少し狭いときは、右側に示すように、前記間隔環３３を前後逆にして装填すると、レンズ３２とレンズ３４の間隔が広がる。前記間隔環３３を前後逆にして装填し、前記レンズ面３２ｂには前記外周エッジ３３ｃが当接し、前記レンズ面３４ｂには前記内周エッジ３３ｆが当接するように組み直す。このとき、前記レンズ面３２ｂに当接する前記間隔環３３のエッジの直径は大きくなり且つ前記レンズ面３２ｂが凹面であるから間隔環３３はレンズ３４側に移動する。同時に、凸面であるレンズ面３４ｂと当接する内周エッジの直径は大きくなるので、当接する前記レンズ面３４ｂはレンズ押さえ１５側に移動する。この場合は、前記間隔環３３、前記レンズ３４の両方ともレンズ押さえ１５側に移動して、レンズ２２とレンズ２４の間隔が広がることになる。
【００１２】
次に第４の実施形態について説明する。図５の左側に示すように、凹のレンズ面４２ｂを有するレンズ４２と、凸のレンズ面４４ｂを有するレンズ４４との間に間隔環４３が装填される。間隔環４３は、後端側の外周エッジ４３ｅと内周エッジ４３ｆの光軸方向の位置が異なるように形成され、前記外周エッジ４３ｅが前記レンズ面４２ｂと当接し、前端側の内周エッジ４３ｄが前記レンズ面４４ｂと当接するように前記間隔環４３が装填される。図の右側に示すように、前記間隔環４３を前後逆にして装填すると、レンズ４２とレンズ４４の間隔が広がる。前記間隔環４３を前後逆にして装填すると、前記レンズ面４２ｂに外周エッジ４３ｃが当接し、前記レンズ面４４ｂには前記内周エッジ４３ｆが当接する。このとき、前記レンズ面４２ｂと前記レンズ面４４ｂに当接する前記間隔環４３の外周エッジ又は内周エッジは、外周エッジ４３ｅと内周エッジ４３ｄから外周エッジ４３ｃと内周エッジ４３ｆに代わるが、内周エッジ４３ｄと外周エッジ４３ｃの光軸方向の位置は同じであるからレンズ間隔に影響しないが、外周エッジ４３ｅと内周エッジ４３ｆは光軸方向の位置が異なる。内周エッジ４３ｆは外周エッジ４３ｅに比べて突出しており、その分だけ前記レンズ面４４ｂをレンズ押さえ１５側に移動させる。これによってレンズ４２とレンズ４４の間隔が広がることになる。
【００１３】
前記実施形態は、２枚のレンズの間隔を広げる場合について説明したが、逆の使い方をすれば間隔を狭くする場合にも適用可能であることは言うまでもない。また、外周エッジ及び内周エッジは、９０度を意味するものではなく、レンズ面に対して円環状に高精度で当接するのであれば、９０度以外の角度を持ったものでも差し支えない。
【図面の簡単な説明】
【００１４】
【図１】本発明によるレンズ鏡筒の分解図である。
【図２】本発明によるレンズ鏡筒を示し、間隔環の装填方向を逆にしたときの断面を光軸を挟んだ左右に示したものである。
【図３】別の実施形態を図２と同様に示した断面図である。
【図４】第３の実施形態を図２と同様に示した断面図である。
【図５】第４の実施形態を図２と同様に示した断面図である。
【図６】間隔環を用いたレンズ鏡筒の従来例を示す断面図である。
【符号の説明】
【００１５】
１０  レンズ鏡筒
１１  レンズ枠
１２，１４，２２，２４，３２，３４，４２，４４  レンズ
１２ｂ，１４ｂ，２２ｂ，２４ｂ，３２ｂ，３４ｂ，４２ｂ，４４ｂ  レンズ面
１３，２３，３３，４３  間隔環
１３ｃ，２３ｃ，３３ｃ，４３ｃ  外周エッジ（前端側）
１３ｄ，２３ｄ，３３ｄ，４３ｄ  内周エッジ（前端側）
１３ｅ，２３ｅ，３３ｅ，４３ｅ  外周エッジ（後端側）
１３ｆ，２３ｆ，３３ｆ，４３ｆ  内周エッジ（後端側）
１５  レンズ押さえ
１６  光軸
【図１】
2010122557.tif 000003
【図２】
2010122557.tif 000004
【図３】
2010122557.tif 000005
【図４】
2010122557.tif 000006
【図５】
2010122557.tif 000007
【図６】
2010122557.tif 000008